(57)【要約】【課題】非常通報要因を検出したときに、予め設定された通報先に通報を送出する通報装置において、通報先において、通報装置が正常に動作していることを確実に把握することが可能なようにする。【解決手段】通報装置が正常動作している状態において非常通報要因が発生していない動作正常状態が予め定められた所定時間継続したかどうかを検出する検出手段を設ける。検出手段で、動作正常状態が所定時間継続したことを検出したときに、予め定められた連絡先に、動作正常状態が所定時間継続した旨を通報する。【選択図】        図５
2004214780.tif 000002
【特許請求の範囲】
【請求項１】
非常通報要因を検出したときに、予め設定された通報先に通報を送出する通報装置において、
前記通報装置が正常動作している状態において前記非常通報要因が発生していない動作正常状態が予め定められた所定時間継続したかどうかを検出する検出手段と、
前記検出手段で、前記動作正常状態が前記所定時間継続したことを検出したときに、予め定められた通報先に、前記動作正常状態が前記所定時間継続した旨を通報する
ことを特徴とする通報装置。
【請求項２】
請求項１に記載の通報装置において、
前記検出手段は、前記動作正常状態でないと検出したときにはリセットされると共に、動作正常状態に復旧したときに前記所定時間の計側がスタートされるように構成されたタイマーからなる
ことを特徴とする通報装置。
【請求項３】
請求項１または請求項２に記載の通報装置において、
前記異常を検出するための１または複数のセンサと、前記通報を行なうための送信機とを備え、
前記検出手段が検出する前記動作正常状態には、前記１または複数のセンサが正常に動作していること、および前記送信機が正常に動作していることを含む
ことを特徴とする通報装置。
【発明の詳細な説明】
【０００１】
【発明の属する技術分野】
この発明は、予め設定された通報先に、例えば火災やガス漏れなどの通報を送出する通報装置に関する。
【０００２】
【従来の技術】
例えば、盗難、火災、ガス漏れ等の非常通報要因が発生した場合に、押ボタンスイッチやセンサにより起動されて、予め設定された通報先に通報を行なうようにする通報装置が知られている（例えば特許文献１参照）。集合住宅に設置されて、共用設備の故障や火災、ガス漏れなどの情報を、管理センタなどの所定の通報先に通報を行なう通報装置も知られている（例えば特許文献２参照）。
【０００３】
これらの従来の通報装置では、火災やガス漏れなどの非常通報要因が発生すると、その都度、その非常通報要因の発生を通報先に通報するようにしている。
【０００４】
【特許文献１】
特開平１０−４４６４号公報。
【０００５】
【特許文献２】
特開平５−２０５８２号公報。
【０００６】
【発明が解決しようとする課題】
ところで、上述の通報装置は、センサや通報装置の送信機が正常に動作していれば問題ないが、センサや送信機に異常があれば、火災やガス漏れが発生しても、その非常通報要因を検知して、通報先に通報することはできない。
【０００７】
そこで、例えば１日の特定の時間（時刻）に、定時的な通報を通報先に行なうことにより、送信機が正常に動作するか否かを確認するようにしたり、センサに動作異常が発生した場合に、その旨を管理センターに通知したりすることが行なわれていた。
【０００８】
しかしながら、定時的な通報では、当該定時通報後において通報装置が正常動作することについての補償はない。また、センサに動作異常が発生した場合に、その後、復旧したことが確認されない場合には、何時から正常動作状態になったか、あるいは現在は正常動作状態にあるのかなどについては認識することができない。
【０００９】
また、センサの正常動作復旧についても管理センターなどに通知するようにすることもできるが、その復旧の通知は、当該センサのみに関するものであって、通報装置全体として、正常動作状態にあるという通知をするものではないので、通報装置が正常動作しているかどうかの補償はない。
【００１０】
また、通報装置から非常通報があれば、その時点では非常通報要因が発生したことがわかるが、非常通報が無いときには、通報装置の故障により通報が無いのか、非常通報要因が発生していないために通報が無いのかを区別する術が従来は無かった。
【００１１】
この発明は、以上の点に鑑み、管理センタなどの通報先において、通報装置が正常に動作している状態において、非常通報要因が発生していないことを確実に把握することが可能なようにした通報装置を提供することを目的とする。
【００１２】
【課題を解決するための手段】
上記の課題を解決するために、請求項１の発明においては、
非常通報要因を検出したときに、予め設定された通報先に通報を送出する通報装置において、
前記通報装置が正常動作している状態において前記非常通報要因が発生していない動作正常状態が予め定められた所定時間継続したかどうかを検出する検出手段と、
前記検出手段で、前記動作正常状態が前記所定時間継続したことを検出したときに、予め定められた通報先に、前記動作正常状態が前記所定時間継続した旨を通報する
ことを特徴とする。
【００１３】
【作用】
上述の構成の請求項１の発明によれば、通報装置が正常動作している状態において非常通報要因が発生していない動作正常状態が予め所定時間以上継続しているときに、通報先に通報装置が動作正常状態であることを通報するようにしたので、通報先では、通報装置が正常動作していて、かつ、通報すべき異常が前記所定時間は発生していないことの確認することができるようになる。
【００１４】
【発明の実施の形態】
以下、この発明による通報装置の実施形態を、図を参照しながら説明する。以下に説明する通報装置の実施形態は、マンション・ビル等に設置されて、共用設備の故障およびガス漏れ等の非常通報要因が発生したとき、センサや非常ボタンの押下による起動イベントに応じて、非常通報を、自動ダイヤルにて管理センタ等に送信する装置の場合である。
【００１５】
また、この実施形態の通報装置は、マンションの各住戸の盗難（不審者侵入）、火災、ガス漏れ等も管理センタ等に通報可能に構成されている。そして、さらに、通報装置が正常動作している状態において非常通報要因が発生していない動作正常状態が、予め定めた所定時間継続して正常な動作状態であったときには、その旨を示す動作正常通報を管理センタ等に行なうように構成されている。
【００１６】
図１は、この実施形態の通報装置のブロック図である。この実施形態の通報装置は、通報送信装置１と、この通報送信装置１に対してアダプタ２を介して接続される集合住宅管理システム３とからなる。アダプタ２は、通報送信装置１と集合住宅管理システム３との間で通信を行なうためのインターフェースの機能を備えるものである。
【００１７】
この実施形態の通報送信装置１は、マイクロコンピュータを搭載して構成される送信制御部１０と、入力検出部１１と、通報送信装置１を電話回線Ｌ１，Ｌ２に接続するための回線制御部１２と、送信制御部１０と回線制御部１２との間に設けられるモデム１３および音声合成部１４と、ＬＣＤ（Liquid Crystal Display；液晶表示装置）１５と、ＬＥＤ（Light Emitting  Diode；発光ダイオード）群１６と、時計回路１７と、メモリ１８と、動作正常状態継続監視タイマー１９とを備えてなる。
【００１８】
入力検出部１１は、複数個のセンサ２０ａ，２０ｂ，・・・，２０ｎからのセンサ検出出力を入力信号として受け取り、送信制御部１０に供給する。センサ２０ａ，２０ｂ，・・・，２０ｎの例としては、例えば、共用設備の故障のセンサや、火災センサ、ガス漏れセンサ等が挙げられる。センサ２０ａ，２０ｂ，・・・，２０ｎのそれぞれから入力検出部１１を介した送信制御部１０への入力信号は、それぞれ送信制御部１０からの通報要因の発生原因となる。
【００１９】
この実施形態においては、送信制御部１０は、入力検出部１１からのセンサ２０ａ，２０ｂ，・・・，２０ｎのそれぞれの検出信号を監視して、上述した共用設備の故障の発生や、火災の発生、ガス漏れ発生などを検出すると共に、各センサの動作状態が正常であるかどうかをチェックする機能も備えている。
【００２０】
例えば、送信制御部１０は、入力検出部１１からのセンサ２０ａ，２０ｂ，・・・，２０ｎのそれぞれからの信号の有無を検出し、予め定めた所定時間以上、センサからの信号が無いときには、センサが故障であると判別するようにする。送信制御部１０ではなく、入力検出部１１が、同様にしてセンサ２０ａ，２０ｂ，・・・，２０ｎのそれぞれについての故障の有無を検出し、その検出結果を送信制御部１０に通知するようにしてもよい。
【００２１】
また、センサの故障からの復旧は、同様にセンサからの信号を確認する方法の他、センサの故障を修復したときに、当該センサの動作正常状態への復旧をキー入力などにより、送信制御部１０に通知するようにしてもよい。
【００２２】
そして、センサの動作状態に異常が生じたときには、送信制御部１０は、設定により、その旨を示す通報を管理センタに通知し、例えば、センサの修復を促すことができるような機能を備えている。また、センサの動作異常状態が復旧したときにも、設定により、その旨を管理センタに通知することができるようにされている。
【００２３】
回線制御部１２は、アナログ回線対応のものと、デジタル回線（ＩＳＤＮ回線）対応のもののいずれかが用いられる。アナログ回線対応の回線制御部の場合には、ネットワークコントロールユニット（ＮＣＵ）と、トランスを含む。また、ＩＳＤＮ回線対応のものは、コーデック回路と、マイクロコンピュータを搭載して構成される。
【００２４】
モデム１３は、送信制御部１０と回線制御部１２との間で信号のやり取りを行なうためのもので、送信制御部１０からのデジタル信号を電話回線を通じて送り出す信号に変調し、また、回線制御部１２からの信号を送信制御部１０に渡す信号に変換する役割をする。モデム１３と送信制御部１０との間ではデジタル信号によりやり取りを行ない、モデム１３と回線制御部１２との間ではアナログ信号によりやり取りを行なう。
【００２５】
音声合成回路１４は、通報時に、必要に応じて送信制御部１０から指定された通報メッセージを音声として回線制御部１２に供給するためのものである。
【００２６】
ＬＣＤ１５には、時計回路１７により刻まれる現在時刻のほか、動作状況や通報履歴などの表示情報が、送信制御部１０から供給されて表示される。ＬＥＤ群１６の各ＬＥＤは、通電状態表示、電話回線接続中表示、点検表示などを、点灯、点滅、などにより報知するために用いられる。
【００２７】
時計回路１７は、現在時刻を刻むために用いられるほか、一定周期で所定のアプリケーションプログラムを起動したりする場合のタイマとしても使用する。送信制御部１０は、この時計回路１７の時刻情報を常時監視する。
【００２８】
メモリ１８は、管理センタや消防署、警察署などの通報先の電話番号などを記憶すると共に、通報履歴などの情報を記憶する。
【００２９】
動作正常状態継続監視タイマー１９は、通報装置が動作正常状態を継続している時間を計測するためのもので、送信制御部１０によりタイマースタート、停止、リセットが制御される。ここで、この明細書において、動作正常状態とは、前述の記載からも明らかなように、通報装置が正常動作している状態において、非常通報要因が発生していない状態である。
【００３０】
通報送信装置１の送信制御部１０に対してアダプタ２を介して接続される集合住宅管理システム３に対しては、集合住宅の各住戸に設けられる住戸用装置４が接続されている。住戸用装置４は、玄関ドアや窓に設けられる侵入センサや、火災センサなどの各種センサと、非常通報起動用の押しボタンとを含む。
【００３１】
集合住宅管理システム３は、各住戸用装置４のセンサ出力により非常通報要因を検出したり、また、各住戸用装置４の非常通報起動用の押しボタンが操作されたことを検出したりした場合には、当該非常通報要因発生の通知を、アダプタ２を通じて通報送信装置１に送る。通報送信装置１の送信制御部は、これらの非常通報要因の発生の通知を受けると、予め通報先として定められた管理センタなどに通報を行なう。
【００３２】
送信制御部１０は、アダプタ２を通じた集合住宅管理システム３との通信が正常であるかどうかを定期的にチェックする機能も備えている。すなわち、例えば送信制御部１０から通信チェック用の信号をアダプタ２に送る。そして、送信制御部１０は、アダプタ２からの応答の信号を待ち、応答の信号を受信できれば、アダプタ２と送信制御部１０との間では通信が正常に行なわれることを検知する。
【００３３】
なお、さらに、送信制御部１０は、通信チェック用の信号をアダプタ２を通じて集合住宅管理システム３に送り、その後、集合住宅管理システム３からのアダプタ２を通じた応答の信号を待ち、応答の信号を受信できれば、アダプタ２を通じた集合住宅管理システム３との通信が正常であると判別するようにすることもできる。
【００３４】
また、アダプタ２が通信チェック用の信号を集合住宅管理システム３に送り、集合住宅管理システム３からの応答の信号を受信できれば通信が正常であると判別して、その判別結果を、アダプタ２が送信制御部１０に通知するように構成してもよい。
【００３５】
送信制御部１０は、センサ２０ａ，２０ｂ・・・２０ｎのすべてが正常に動作していると共に、アダプタ２と正常に通信しているなど、通報装置全体として正常に動作している状態において火災やガス漏れなどの非常通報要因が発生しない動作正常状態が、予め定められた所定時間以上継続したことを検出したときには、管理センタ等予め定められた通報先に動作正常通報を行なう。この動作正常通報は、前記所定時間以上、動作正常状態が継続したときに繰り返し行なわれる。
【００３６】
そして、火災やガス漏れなどの非常通報要因が発生して非常通報が行なわれる状態になったときには、前記動作正常状態の継続時間についての計測は、リセットされると共に停止される。そして、当該非常通報要因が消滅して正常状態に戻ってから、再度、前記動作正常状態の継続時間についての計測が開始される。
【００３７】
また、通報装置のセンサや送信機の機能に故障などが検出されたときにも、前記動作正常状態の継続時間についての計測は、リセットされて、当該故障などが復旧して正常状態に戻ってから、再度、前記動作正常状態の継続時間についての計測が開始される。
【００３８】
動作正常通報の通報先と非常通報の通報先とは同一であってもよいし、また、異なっていてもよい。この実施形態では、両通報は、共に管理センタに対してなされるようにされている。また、動作正常通報を行なう時間間隔となる動作正常状態の継続を監視する時間は、予め定められた固定値であってもよいが、この実施形態では、ユーザが設定できるようにしている。
【００３９】
以下、送信制御部１０における管理センタへの動作正常通報のための動作を中心として、通報送信装置１の動作を説明する。なお、この例では、説明の簡単のため、センサ２０ａ，２０ｂ・・・２０ｎのすべての動作状態と、送信機（通報送信装置１）の状態と、アダプタ２との間の通信の状態との３つの項目を、通報装置が動作正常状態であるかどうかの判定のための項目とした場合として説明する。実際には、その他の項目も動作正常状態のチェック項目としてチェックされる場合がある。
【００４０】
そして、この実施の形態においては、通報送信装置を稼働させる前の設定として、センサ毎に使用の可否が選択され、使用するセンサについては、故障が発生すれば、その故障を必ず管理センタに通報するようにする。また、通報送信装置１の各種機能部の動作状態が異常であるときにも、管理センタにその旨を通報するようにする。さらに、アダプタ２との間の通信の状態に異常が有ると検出された場合にも同様に、管理センタにその旨を通報するようにする。
【００４１】
しかし、上記のセンサ故障、通報送信装置１の各種機能部の異常の発生およびアダプタ２との通信の状態に異常がある旨などの通報は、必須のものではなく、例えば、使用するセンサの中の、例えば、予め「通報する」と設定されているセンサについて行なったり、通報送信装置１の状態やアダプタ２との通信に関する異常発生の通報も、予め「通報する」と設定されている場合に行なうようにしてもよい。
【００４２】
図２および図３は、送信制御部１０において、センサ２０ａ，２０ｂ・・・２０ｎの動作状態が正常であるかどうかのチェックと、メモリ１８が正常に動作しているかなどの通報送信装置１の動作状態が正常であるかどうかのチェックと、アダプタ２との間の通信が正常になされているかどうかのチェックをする処理の流れを説明するための図である。
【００４３】
すなわち、送信制御部１０は、複数個のセンサ２０のいずれかから、非常通報要因となるセンサ検出出力が入力検出部１１を通じて入力されたかどうか判別し（ステップＳ１）、非常通報要因となるセンサ検出出力が入力されたと判別したときには、動作正常状態継続監視タイマー１９をリセットして、タイマー動作を停止させる（ステップＳ２）。
【００４４】
その後、送信制御部１０は、図示を省略したフラグメモリに記憶されている当該非常通報要因が発生についての非常通報要因フラグ（セットされている状態では非常通報要因発生中を示し、リセットされると非常通報要因が消滅した状態を示す）をセットする（ステップＳ３）。そして、送信制御部１０は、管理センタなどの通報先に対する非常通報を実行する（ステップＳ４）。
【００４５】
次に、送信制御部１０は、非常通報要因が消滅して正常状態に復帰したかどうかを監視し（ステップＳ５）、正常状態に復帰したことを検知したときには、非常通報要因フラグをリセットし（ステップＳ６）、その後、動作正常状態継続監視タイマー１９をスタートさせる（ステップＳ５）。
【００４６】
そして、他のセンサや通報送信装置１の各種機能部、また、アダプタ２との間の通信状態が異常でないかどうか判別し（ステップＳ１８）、異常が無いと判別したときには、通報装置は、動作正常状態であると判別して、送信制御部１０は、動作正常状態継続監視タイマー１９をスタートさせ（ステップＳ１９）、その後、ステップＳ１に戻る。また、ステップＳ１８で他に異常があると判別したときには、そのままステップＳ１に戻る。
【００４７】
次に、ステップＳ１において、非常通報要因となるセンサ検出出力が入力されていないと判別したときには、送信制御部１０は、入力検出部１１を通じて、複数個のセンサ２０ａ，２０ｂ・・・２０ｎの動作状態のチェックをし、故障が発生していないかどうか判別する（ステップＳ１１）。前述したように、センサに故障が発生しているかどうかは、例えば、センサからの信号をチェックして、予め定められた所定時間以上、センサから何の信号も得られない等のときに、センサの故障として判断するなどの方法が用いられる。
【００４８】
このステップＳ１１で、故障しているセンサがあると判別したときには、送信制御部１０は、動作正常状態継続監視タイマー１９をリセットすると共に、タイマー動作を停止するようにする（ステップＳ１２）。
【００４９】
そして、送信制御部１０は、図示を省略したフラグメモリに記憶されている当該故障しているセンサについての故障フラグ（故障しているかどうかを示すフラグであって、セットされている状態では故障中を示し、リセットされると故障がない状態を示す）をセットして（ステップＳ１３）、当該センサが故障していることについて管理センタに通報する（ステップＳ１４）。
【００５０】
次に、送信制御部１０は、入力検出部１１を通じて故障しているセンサの動作状態が正常状態に復旧したかどうか判別し（ステップＳ１５）、復旧したと判別したときには、前記フラグメモリの当該センサの故障フラグをリセットする（ステップＳ１６）。そして、例えば、当該センサの故障についての復旧を管理センタに通報すべきものとして設定してあるときには、送信制御部１０は、当該復旧を管理センタに通報する（ステップＳ１７）。
【００５１】
そして、他のセンサや通報送信装置１の各種機能部、また、アダプタ２との間の通信状態が異常でないかどうか判別し（ステップＳ１８）、異常が無いと判別したときには、通報装置は、動作正常状態であると判別して、送信制御部１０は、動作正常状態継続監視タイマー１９をスタートさせ（ステップＳ１９）、その後、ステップＳ１に戻る。また、ステップＳ１８で他に異常があると判別したときには、そのままステップＳ１に戻る。
【００５２】
ステップＳ１１で、センサ２０ａ，２０ｂ・・・２０ｎのすべてについて動作が正常状態であると判別したときには、通報送信装置１のメモリ１８や時計回路１７などの各種機能部が正常に動作をしているかどうかを判別する（図３のステップＳ２１）。このステップＳ２１で、通報送信装置１のメモリ１８等が正常動作していないと判別したときには、送信制御部１０は、動作正常状態継続監視タイマー１９をリセットすると共に、タイマー動作を停止するようにする（ステップＳ２２）。
【００５３】
そして、送信制御部１０は、前記フラグメモリに記憶されている通報送信装置異常状態フラグ（通報送信装置が異常状態であるかどうかを示すフラグであって、セットされている状態では異常状態を示し、リセットされると正常な状態を示す）をセットし（ステップＳ２３）、通報送信装置１の異常状態について管理センタに通報する（ステップＳ２４）。この通報送信装置１の異常状態についての通報も、必須のものではなく、例えば、予め「通報する」と設定されている場合に行なわれるようにしてもよい。
【００５４】
次に、送信制御部１０は、通報送信装置１の不具合部分が正常状態に復旧するのを待ち（ステップＳ２５）、復旧したと判別したときには、前記フラグメモリの通報送信装置異常状態フラグをリセットする（ステップＳ２６）。そして、当該通報送信装置の不具合についての正常状態への復旧を管理センタに通報すべきものとして設定してあるときには、送信制御部１０は、当該復旧を管理センタに通報する（ステップＳ２７）。
【００５５】
そして、ステップＳ１８に進み、センサやアダプタ２との間の通信状態が異常でないかどうか判別し、異常が無いと判別したときには、通報装置は、動作正常状態であると判別して、送信制御部１０は、動作正常状態継続監視タイマー１９をスタートさせる（ステップＳ１９）。その後、ステップＳ１に戻る。
【００５６】
さらに、ステップＳ２１で通報送信装置１は正常動作していると判別したときには、送信制御部１０は、アダプタ２との間の通信が正常に行なわれているか否か判別する（図３のステップＳ３１）。このステップＳ３１で、アダプタ２との間の通信が正常に行なわれていると判別したときには、この例ではステップＳ１に戻る。
【００５７】
ステップＳ３１で、アダプタ２との間の通信が正常ではないと判別したときには、送信制御部１０は、動作正常状態継続監視タイマー１９をリセットすると共に、タイマー動作を停止するようにする（ステップＳ３２）。
【００５８】
そして、送信制御部１０は、前記フラグメモリに記憶されているアダプタ間通信異常フラグ（アダプタ２との間の通信が異常状態であるかどうかを示すフラグであって、セットされている状態では異常状態を示し、リセットされると正常な状態を示す）をセットする（ステップＳ３３）。そして、送信制御部１０は、アダプタ２との間の通信が異常状態であることについて管理センタに通報する（ステップＳ３４）。このアダプタ２との間の通信の異常状態についての通報も、必須のものではなく、例えば、予め「通報する」と設定されている場合に行なわれるようにしてもよい。
【００５９】
次に、送信制御部１０は、アダプタ２との間の通信が正常状態に復旧するのを待ち（ステップＳ３５）、復旧したと判別したときには、アダプタ間通信異常状態フラグをリセットする（ステップＳ３６）。そして、当該アダプタ２との間の通信の不具合についての正常状態への復旧を管理センタに通報すべきものとして設定してあるときには、送信制御部１０は、当該アダプタ２との間の通信についての正常状態への復旧を、管理センタに通報する（ステップＳ３７）。
【００６０】
そして、ステップＳ１８に進み、センサや通報送信装置１が異常でないかどうか判別し、異常が無いと判別したときには、通報装置は、動作正常状態であると判別して、送信制御部１０は、動作正常状態継続監視タイマー１９をスタートさせる（ステップＳ１９）。その後、ステップＳ１に戻る。
【００６１】
以上のようにして、この実施形態では、送信制御部１０は、センサおよび通報送信装置１、アダプタ２との間の通信状態が正常動作しているかどうかを常に監視し、この例ではフラグメモリに記憶されているフラグを参照することにより正常、異常を検知することができるようにしている。そして、このフラグ参照に基づいて、通報装置が正常動作している状態において前記通報すべき異常が発生していない動作正常状態が予め定められた所定時間以上継続したかどうか判別し、所定時間以上継続したときには、動作正常通報を管理センタに対して行なうようにする。
【００６２】
図４は、送信制御部１０における動作正常通報のための処理動作を示すフローチャートである。
【００６３】
すなわち、送信制御部１０は、アダプタ２を通じて接続された集合住宅管理システムと通報送信装置１とからなる通報装置の動作正常状態の確認処理をする（ステップＳ４１）。この確認処理においては、通報装置の動作正常状態についてのチェック対象項目が予め定められているので、そのチェック対象項目について、前記フラグメモリの前述した各フラグを参照して異常が発生していないかどうかをチェックするようにする。
【００６４】
先ず、非常通報要因フラグを参照して、非常通報状態であるか否かチェックし、セットされていれば、非常通報要因が発生していて、未だ復旧していないと判別する。また、センサ２０ａ，２０ｂ・・・２０ｎのそれぞれについてのセンサ故障フラグを参照し、すべてリセット状態になっているかどうかチェックする。一つのセンサ故障フラグでもセット状態になっていれば、通報装置は動作正常状態ではないと検知する。また、通報送信装置異常状態フラグを参照して、リセット状態になっていれば、通報送信装置１は正常動作状態であると判別し、セット状態であれば通報送信装置１には異常動作部分があると判別する。アダプタ間通信異常フラグについても同様にチェックする。
【００６５】
そして、以上のような動作正常状態のチェックの結果について、すべてのフラグに基づいて異常がないかどうか判別し（ステップＳ４２）、いずれかに異常があって、動作正常状態ではないと判別したときには、ステップＳ４１に戻る。
【００６６】
ステップＳ４２でセンサや通報送信装置１、また、アダプタ間通信等について異常がなく、すべて正常であり、かつ、非常通報要因が発生していないと判別したときには、通報装置は動作正常状態であるとして、動作正常状態継続監視タイマー１９の、動作正常状態の継続時間の計測時間をチェックする（ステップＳ４３）。
【００６７】
そして、送信制御部１０は、動作正常状態継続監視タイマー１９で計測された動作正常状態の継続時間が予め設定された所定時間を経過したか否か判別し（ステップＳ４４）、動作正常状態の継続時間が予め設定された所定時間を経過していないと判別したときには、ステップＳ４１に戻る。
【００６８】
また、ステップＳ４４において、タイマー１９で計測された動作正常状態の継続時間が予め設定された所定時間を経過したと判別したときには、動作正常状態であることを示す通報、つまり動作正常状態通報を、管理センタに対して送る（ステップＳ４５）。そして、動作正常状態継続監視タイマーをリセットして、タイマー動作を始めからやり直しさせ（ステップＳ４６）、その後、ステップＳ４１に戻り、以上の処理を繰り返す。
【００６９】
以上の動作正常通報についての動作例を図５のタイムチャームを参照しながら説明する。
【００７０】
図５に示すように、先ず、非常通報が行なわれた後、▲１▼で示す時点において正常に復旧して、通報装置が動作正常状態になったとすると、その時点から動作正常状態継続監視タイマー１９をスタートさせる。
【００７１】
そして、▲２▼で示す時点まで動作正常状態が継続したときには、当該▲２▼の時点において、送信制御部１０は、管理センタへの動作正常通報を実行する。そして、動作正常状態継続監視タイマー１９をリセットして、タイマー１９を再スタートさせる。
【００７２】
次に、その後、▲３▼の時点でセンサやアダプタ２間通信機能などに異常が発生したことを送信制御部１０が検知したときには、送信制御部１０は、動作正常状態継続監視タイマー１９をリセットとすると共に、そのタイマー動作を停止する。そして、その後、▲４▼の時点でセンサやアダプタ２間通信機能などの異常が復旧して、通報装置の動作状態が正常状態に戻ったときには、送信制御部１０は、この▲４▼の時点で動作正常状態継続監視タイマー１９のタイマー動作をスタートさせる。
【００７３】
そして、▲５▼で示す時点まで動作正常状態が継続したときには、当該▲５▼の時点において、送信制御部１０は、管理センタへの動作正常通報を実行する。そして、動作正常状態継続監視タイマー１９をリセットして、タイマー１９を再スタートさせる。
【００７４】
次に、その後、▲６▼の時点で非常通報要因が発生したことを送信制御部１０が検知したときには、送信制御部１０は、通報先への非常通報を実行した後、動作正常状態継続監視タイマー１９をリセットとすると共に、そのタイマー動作を停止する。そして、その後の▲７▼の時点で非常通報要因が消滅して正常状態に復旧して、通報装置が動作正常状態に戻ったときには、送信制御部１０は、この▲７▼の時点で動作正常状態継続監視タイマー１９のタイマー動作をスタートさせる。
【００７５】
そして、その後、▲８▼で示す時点まで動作正常状態が継続したときには、当該▲８▼の時点において、送信制御部１０は、管理センタへの動作正常通報を実行する。そして、動作正常状態継続監視タイマー１９をリセットして、タイマー１９を再スタートさせる。さらに、その後、▲９▼で示す時点まで動作正常状態が継続したときには、当該▲９▼の時点において、送信制御部１０は、動作正常通報を実行する。そして、動作正常状態継続監視タイマー１９をリセットして、再スタートさせる。以下、送信制御部１０は、上述の動作を繰り返すものである。
【００７６】
以上のようにして、上述の実施形態によれば、動作正常通報を受け取ったときには、管理センタでは、少なくとも当該動作正常通報を受信した時点より、動作正常状態継続監視タイマー１９で監視される所定時間前の時点までの間は、通報装置が正常動作している状態において前記通報すべき異常が発生していない動作正常状態と認識することができ、前記所定時間前までの期間は、通報装置が正常稼働していると共に、非常通報要因が発生していないことをユーザに知らせることができる。したがって、通報装置の利用者に対する信頼度、満足度を向上させることができる。
【００７７】
なお、上述の実施形態では、通報送信装置と、集合住宅管理システムとは別の装置として、通信インターフェースとしてのアダプタを介して接続するようにしたが、通報送信装置がアダプタの機能を内蔵するように構成してもよいことは言うまでもない。
【００７８】
また、この発明は、集合住宅用の通報装置に限定されるのものではないことはもちろんである。
【００７９】
【発明の効果】
以上説明したように、この発明による通報装置によれば、当該通報装置が正常動作している状態において通報すべき異常が発生していない動作正常状態が所定時間以上継続しているときに、通報先に当該通報装置が正常動作状態であることを通報するようにしたので、通報を受けた通報先では、少なくとも通報受信時点よりも前記所定時間前の時点から通報受信時点までは、通報装置が正常動作状態であって、非常通報要因は発生していないことを確認することができる。
【図面の簡単な説明】
【図１】この発明による通報装置の実施形態のブロック図である。
【図２】実施形態の通報装置の動作を説明するためのフローチャートである。
【図３】実施形態の通報装置の動作を説明するためのフローチャートである。
【図４】実施形態の通報装置の動作を説明するためのフローチャートである。
【図５】実施形態の通報装置の動作を説明するためのタイムチャートである。
【符号の説明】
１  通報送信装置
２  アダプタ
３  集合住宅管理システム
１０  送信制御部
１８  メモリ
１９  動作正常状態継続監視タイマー
２０ａ，２０ｂ・・・２０ｎ  センサ
【図１】
2004214780.tif 000003
【図２】
2004214780.tif 000004
【図３】
2004214780.tif 000005
【図４】
2004214780.tif 000006
【図５】
2004214780.tif 000007